(57)【要約】      （修正有）【課題】粘性の強い薬液の場合は短時間で完全に残留空気泡を除去することができなかった。そこで、この発明は、短時間で完全に注射器内の残留空気泡を除去する装置および方法を提供する。【解決手段】円盤２上の台３に固定された注射器６の薬液中に多数の空気泡７が残存している。回転軸１を中心に角速度ωで回転させると、遠心力により空気層と薬液層に完全に分離させることができる。さらにストッパー４を回転軸１方向に移動させると押し子６２が外筒６１に押し込まれ、このとき空気層が外筒先端部６１２ａより排出される。【選択図】図１
2004298600.tif 000002
【特許請求の範囲】
【請求項１】
注射器内の薬液中に残留している空気泡を遠心力を用いて空気層と薬液層に分離する手段と、その空気層を排出して注射器内の空気を完全に除去する手段を備えたことを特徴とする遠心分離装置および脱泡方法。
【発明の詳細な説明】
【０００１】
【発明の属する技術分野】
この発明は、注射器内の残留空気泡を除去する装置および方法に関する。
【０００２】
【従来の技術】
従来の注射器内の残留空気泡を除去する装置および方法は、注射器外筒を指ではじいて薬液中の空気泡を注射器先端部に集めて徒手的に排出する方法、注射器先端部の材質、形態を薬液や気泡が観察しやすいものにする方法、注射器に薬液を充填する段階でエア抜き針を用いたり減圧下に作業を行う装置および方法などであった。
【０００３】
【発明が解決しようとする課題】
しかしながら、以上の従来技術によれば、粘性の強い薬液の場合は短時間で完全に残留空気泡を除去することができなかった。特に急性心筋梗塞や脳梗塞急性期の血栓溶解療法のように動脈内に直接薬液を投与する場合は、わずかな残留空気泡でも医原性の梗塞の原因になるので、短時間で完全に残留空気泡を除去する装置および方法が必要とされていた。
そこで、この発明は、短時間で完全に注射器内の残留空気泡を除去する装置および方法を提供することを課題とする。
【０００４】
【課題を解決するための手段】
以上の課題を解決するために、請求項１の発明は、注射器内の薬液中に残留している空気泡を遠心力を用いて空気層と薬液層に分離する手段と、その空気層を排出して注射器内の空気を完全に除去する手段を備えたことを特徴とする遠心分離装置および脱泡方法である。
【０００５】
【発明の実施の形態】
この発明の一実施形態を、図１、図２、図３、図４、図５、図６に示す。
図１のように回転軸１を中心に回転する円盤２上に台３、ストッパー４が配置されている。図２のように円盤２には溝２１，溝２２が刻まれている。円盤２と台３は完全に固定されている。ストッパー４のピン４１ａとピン４２ａを円盤２に刻まれた溝２１に、ストッパー４のピン４１ｂとピン４２ｂを円盤２に刻まれた溝２２にはめ込むことで、ストッパー４は円盤２の半径方向に任意に動かすことができる。
【０００６】
台３の上に注射器６が置かれている。注射器は、外筒６１と押し子６２で構成されている。台３には外筒６１の末端部にあるフランジ６１１をはめ込むための溝３１，３２，３３がある。注射器６のサイズに合わせて溝３１，３２，３３のいずれかにフランジ６１１をはめ込みことで、外筒６１を台３の任意の位置に固定することができる。図１、図２、図３、図４、図７、図８ではフランジ６１１を溝３２にはめ込んでいる。
台３にはピン５１，ピン５２で保持されたストッパー５があり、バネ５１１，バネ５２１の力でストッパー５は外筒６１を台３に圧着させている。溝３２とストッパー５の作用で外筒６１は台３に完全に固定されている。
外筒６１を台３に完全に固定した後、押し子６２の末端部分にある押し子頭６２１がストッパー４とちょうど接触するようにストッパー４の位置を移動し固定する。
【０００７】
回転前は図１のように、注射器６に注入された薬液内に多数の空気泡７が残存している。円盤２を回転軸１を中心に角速度ωで回転させると、遠心力が加わることにより薬液中の空気泡７は外筒先端部６１２ａに集まり、外筒６１内は図３のように空気層７１ａと薬液層７２に分離される。
【０００８】
空気層７１ａと薬液層７２に分離された段階でストッパー４を回転軸１方向に移動させると，押し子６２は外筒６１に押し込まれる。このとき図４のように空気層７１ａが外筒先端部６１２ａより排出され，外筒６１内は薬液層７２のみとなる。
【０００９】
円盤２の回転を止めることによって、残留空気泡のない注射器６を安全に取り出すことができる。
【００１０】
図５、図６のように、ストッパー４にはねじ穴４３１が開けられた板４３が固定されている。円盤２には板４３が円盤の半径方向に充分動けるようにくぼみ２３が設けられている。円盤２内のモーター８の回転軸にねじ９が固定されている。ねじ９はねじ穴４３１にねじ込まれている。モーター８によりねじ９を回転させることで、ストッパー４を円盤２の半径方向にそって任意に移動させることができる。また、モーター８が停止しているときはねじ穴４３１とねじ９の摩擦力によりストッパー４は円盤２に固定されている。
【００１１】
【実施形態の効果】
この実施形態によれば、注射器６内の空気泡７が混入した薬液を遠心力を用いて空気層７１ａと薬液層７２に分離することができる。また、ストッパー４を移動させることによって注射器６内の空気層７１ａを外筒末端部６１２ａから完全に排出することができる。
【００１２】
【他の実施形態】
図７のように外筒先端部６１２ｂが外筒６１の先端の中心にない場合でも、円盤２を円錐状にすることで外筒先端部６１２ｂに空気層７１ｂを集め、その空気層７１ｂだけ排出することが可能である。
【００１３】
図８のようにこの装置を回転軸１を中心に放射状に配置することで、同時に複数の注射器内の残留空気泡を除去することが可能である。
【００１４】
宇宙ステーション内や宇宙船内などの無重力空間でも、短時間で完全に注射器内の残留空気泡を除去することが可能である。
【００１５】
【発明の効果】
以上説明したように、この発明によれば、短時間で完全に注射器内の残留空気泡を除去することができる。
【図面の簡単な説明】
【図１】この発明の一実施形態を示す側面図である。
【図２】この発明の一実施形態を示す平面図である。
【図３】この発明の一実施形態を示す側面図である。
【図４】この発明の一実施形態を示す側面図である。
【図５】この発明の一実施形態を示す側面図である。
【図６】この発明の一実施形態を示す底面図である。
【図７】この発明の他の実施形態を示す側面図である。
【図８】この発明の他の実施形態を示す平面図である。
【符号の説明】
１：回転軸  ２：円盤  ２１：溝  ２２：溝  ２３：くぼみ  ３：台
３１：溝  ３２：溝  ３３：溝  ４：ストッパー  ４１ａ：ピン
４１ｂ：ピン  ４２ａ：ピン  ４２ｂ：ピン  ４３：板  ４３１：ねじ穴
５：ストッパー  ５１：ピン  ５１１：バネ  ５２：ピン  ５２１：バネ
６：注射器  ６１：外筒  ６１１：フランジ  ６１２ａ：外筒先端部
６１２ｂ：外筒先端部  ６２：押し子  ６２１：押し子頭  ７：空気泡
７１ａ：空気層  ７１ｂ：空気層  ７２：薬液層  ８：モーター  ９：ねじ
ω：角速度
【図１】
2004298600.tif 000003
【図２】
2004298600.tif 000004
【図３】
2004298600.tif 000005
【図４】
2004298600.tif 000006
【図５】
2004298600.tif 000007
【図６】
2004298600.tif 000008
【図７】
2004298600.tif 000009
【図８】
2004298600.tif 000010